(57)【要約】【課題】園芸用バリカンを上下を逆方向にしたときに安定的に置けるようにし、ブレードアセンブリの着脱を容易にする園芸用バリカンを提供する【解決手段】ヘッジトリマ１０は、電動モータ（原動機）２１を内蔵したハウジング１１の底部に着脱可能に取り付けたブレードアセンブリ４０と、ハウジング１１の前部にて上方に突出して作業者によって把持されるハンドル１４とを備えている。このヘッジトリマ１０においては、ヘッジトリマ１０を上下を逆方向にして水平な支持面Ｇに置いた状態にて、ハウジング１１には電動モータ２１の後側にて支持面Ｇに接地するハウジング接地部１２ｂと、ハンドル１４には電動モータ２１の前側にて支持面Ｇに接地するハンドル接地部１４ａとを備え、ハンドル接地部１４ａに前後方向と交差する方向に延びる接地面１４ｂを設けた。【選択図】図６
2014045745.tif 000002
【特許請求の範囲】
【請求項１】
原動機を内蔵したハウジングの底部に着脱可能に取り付けたブレードアセンブリと、前記ハウジングの前部にて上方に突出して作業者によって把持されるハンドルとを備えた園芸用バリカンであって、
前記園芸用バリカンを上下を逆方向にして水平な支持面に置いた状態にて、前記ハウジングには前記原動機の後側にて前記支持面に接地するハウジング接地部と、前記ハンドルには前記原動機の前側にて前記支持面に接地するハンドル接地部とを備え、前記ハンドル接地部に前後方向と交差する方向に互いに離間した少なくとも２つの接地点を設けたことを特徴とする園芸用バリカン。
【請求項２】
前記ハンドル接地部は前後方向に交差する方向に延びる接地面であることを特徴とする請求項１に記載の園芸用バリカン。
【請求項３】
前記ハウジング接地部は前後方向と交差する方向に延びる突部であることを特徴とする請求項１または２に記載の園芸用バリカン。
【請求項４】
前記ハウジング接地部及び前記ハンドル接地部の少なくとも一方には摩擦係数の大きく滑りにくい材質を用いたことを特徴とする園芸用バリカン。
【発明の詳細な説明】
【技術分野】
【０００１】
本発明は、ヘッジトリマ、芝刈バリカン等の園芸用バリカンに関する。
【背景技術】
【０００２】
特許文献１には、この種の園芸用バリカンであるヘッジトリマが開示されている。特許文献１のヘッジトリマは、電動モータを内蔵したハウジングの底部に着脱可能に取り付けたブレードアセンブリと、ハウジングの前部にて上方に突出して作業者によって把持される上下を逆にしたＵ字形のハンドルとを備えている。このヘッジトリマにおいては、ブレードアセンブリは上下一対のガイドプレートに前後方向に摺動自在に保持された一対のシャーブレードを有し、一対のシャーブレードの基端部の嵌合孔には電動モータの作動により偏心して回転するクランクカムの偏心カムが嵌合している。一対のシャーブレードは電動モータの作動により偏心して回転するクランクカムにより前後方向に相対的に往復動する。
【０００３】
このヘッジトリマにおいては、一対のシャーブレードの刃部が摩耗したときには、ブレードアセンブリを交換する必要がある。ブレードアセンブリを交換するときには、ヘッジトリマを上下を逆方向にして水平な作業台上に立てて置き、ハウジングの底部に取り付けたブレードアセンブリを一方の手で支えながら他方の手でねじを弛めることによって取り外し、同様に新しいブレードアセンブリを一方の手で支えながら他方の手でねじを締め付けることによって取り付けている。
【０００４】
ヘッジトリマを上下を逆方向にして水平な作業台に立てて置いた状態では、ハウジングの電動モータの後側となる頂部と環状のハンドルの頂部の前後方向の２点が作業台上に接地している。しかし、ハウジングの頂部と環状のハンドルの頂部の前後方向の２点が作業台上に接地しただけでは、ヘッジトリマは横方向に安定していなかった。そのために、他の作業者が上下を逆方向にしたヘッジトリマが転倒しないように支えるか、上下を逆方向にしたヘッジトリマを横方向を安定的に支持する特別な支持具を用いなければ、ハウジングの底部にブレードアセンブリを着脱する作業を行いにくかった。
【先行技術文献】
【特許文献】
【０００５】
【特許文献１】特開２０１０−０９４０８６号公報
【発明の概要】
【発明が解決しようとする課題】
【０００６】
本発明の目的は、上記課題に対処するため、園芸用バリカンを上下を逆方向にしたときに安定的に置けるようにし、ブレードアセンブリの着脱を容易にする園芸用バリカンを提供することにある。
【課題を解決するための手段】
【０００７】
上記課題を解決するために、本発明は、原動機を内蔵したハウジングの底部に着脱可能に取り付けたブレードアセンブリと、ハウジングの前部にて上方に突出して作業者によって把持されるハンドルとを備えた園芸用バリカンであって、園芸用バリカンを上下を逆方向にして水平な支持面に置いた状態にて、ハウジングには原動機の後側にて支持面に接地するハウジング接地部と、ハンドルには原動機の前側にて支持面に接地するハンドル接地部とを備え、ハンドル接地部に前後方向と交差する方向に互いに離間した少なくとも２つの接地点を設けたことを特徴とする園芸用バリカンを提供するものである。
【０００８】
上記のように構成した園芸用バリカンにおいては、園芸用バリカンを上下を逆方向にして水平な支持面に置いた状態にて、園芸用バリカンは、ハウジング接地部と、ハウジング接地部と前後に離間したハンドル接地部の前後方向と交差する方向に互いに離間した少なくとも２つの接地点との、少なくとも３箇所が支持面に接地する。また、園芸用バリカンは、重量物である原動機が後側をハウジング接地部と、前側をハンドル接地部の少なくとも２つの接地点により囲まれる領域に配置される。これらにより、園芸用バリカンは、上下を逆方向にして水平な支持面に安定的に置くことができ、ブレードアセンブリの着脱作業が容易となる。
【図面の簡単な説明】
【０００９】
【図１】本発明の園芸用バリカンであるヘッジトリマの一実施形態の側面図である。
【図２】図１の斜視図である。
【図３】図１の前後方向に沿った断面図である。
【図４】図１のクランク機構を分解した斜視図である。
【図５】ブレードアセンブリの斜視図である。
【図６】図１のヘッジトリマを上下を逆方向に置いたときの側面図である。
【図７】図６の上下を逆方向に置いたヘッジトリマを上側から見た図である。
【図８】ハウジング接地部とハンドル接地部とにより接地したときの電動モータの位置を示す概略図である。
【発明を実施するための最良の形態】
【００１０】
以下、本発明の園芸用バリカンであるヘッジトリマの一実施形態を添付図面を参照して説明する。図１〜図３に示したように、ヘッジトリマ１０は、電動モータ（原動機）２１を内蔵したハウジング１１の底部に着脱可能に取り付けたブレードアセンブリ４０と、ハウジング１１の前部にて上方に突出して作業者によって把持されるハンドル１４とを備えている。このヘッジトリマ１０においては、ヘッジトリマ１０を上下を逆方向にして水平な支持面Ｇに置いた状態にて、ハウジング１１には電動モータ２１の後側にて支持面Ｇに接地するハウジング接地部１２ｂと、ハンドル１４には電動モータ２１の前側にて支持面Ｇに接地するハンドル接地部１４ａとを備え、ハンドル接地部１４ａに前後方向と交差する方向に延びる接地面１４ｂを設けた。
【００１１】
図１〜図３に示したように、ヘッジトリマ１０のハウジング１１は、外殻ハウジング１２と、内殻ハウジング１３とからなる。外殻ハウジング１２内には電動モータ２１とともに冷却ファン２２とクランク機構３０とを内蔵した内殻ハウジング１３が組み付けられている。外殻ハウジング１２は、後部に作業者が一方の手で把持するグリップ１２ａが一体的に形成され、前部に作業者が他方の手で把持するハンドル１４が取り付けられている。外殻ハウジング１２には、ヘッジトリマ１０を上下を逆方向にして水平な支持面Ｇに立てて置いた状態にて、電動モータ２１の後側にて支持面Ｇに接地するハウジング接地部１２ｂが設けられている。ハウジング接地部１２ｂは前後方向と直交（交差）する方向に延びる突部である。
【００１２】
ハンドル１４は外殻ハウジング１２の前部の左右両側から上方に突出した上下を逆にしたＵ字形をしている。ハンドル１４の外周には摩擦係数の大きく滑りにくい材質としてゴム材が装着されている。ハンドル１４の上部には、ヘッジトリマ１０を上下を逆方向にして水平な支持面Ｇに立てて置いた状態にて、電動モータ２１の前側にて支持面Ｇに接地するハンドル接地部１４ａが設けられている。ハンドル接地部１４ａには前後方向と直交（交差）する方向に延びる接地面１４ｂが設けられている。なお、接地面１４ｂは前後方向と直交（交差）する方向に連続する多数の接地点を有している。外殻ハウジング１２の前部にはハンドル１４より前側にチップガード１５が固定されており、チップガード１５は切断した枝葉が作業者に向けて飛散するのを防止するものである。
【００１３】
図３に示したように、内殻ハウジング１３には電動モータ２１とともに冷却ファン２２とクランク機構３０とが収容されている。電動モータ２１は内殻ハウジング１３内に直立して設けられている。電動モータ２１の駆動軸２１ａには冷却ファン２２が取り付けられている。冷却ファン２２は電動モータ２１の作動による回転により、電動モータ２１の周囲に空気を通過させて電動モータ２１を冷却するものである。
【００１４】
図３及び図４に示したように、クランク機構３０は、電動モータ２１の回転駆動を一対のシャーブレード４１，４２の前後方向（長手方向）の相対的な往復動に変換するものであり、内殻ハウジング１３の底部に設けられている。クランク機構３０は、電動モータ２１の駆動軸２１ａの先端のピニオンギヤ２１ｂに係合する減速ギヤ３１と、減速ギヤ３１の下側に連結されたクランクカム３２とからなる。
【００１５】
減速ギヤ３１は回転中心に設けた回転軸３１ａに着脱可能かつ回転可能に支持されている。減速ギヤ３１の外周には電動モータ２１の駆動軸２１ａの先端のピニオンギヤ２１ｂに係合する歯部が形成されている。
【００１６】
図３及び図４に示したように、クランクカム３２は同じ大きさの２枚の円板よりなる偏心カム３３，３４の一部を上下に重ねて一体的に固定したものである。クランクカム３２の偏心カム３３，３４は減速ギヤ３１の回転軸３１ａを挟んで対向する位置、すなわち１８０°の位相差となるように配置されている。クランクカム３２の上面には両偏心カム３３，３４の交点を通る線上に連結ピン３５，３５が上方に突出して設けられており、クランクカム３２は連結ピン３５，３５を減速ギヤ３１の下面に形成した連結孔３１ｂ，３１ｂに着脱可能に挿通して連結されている。なお、クランクカム３２の連結ピン３５，３５と減速ギヤ３１の連結孔３１ｂ，３１ｂとの間には、振動の伝達を抑制する柔軟弾性部材よりなる筒形のブッシュ３６，３６と、ブッシュ３６，３６の破損を防ぐ筒状の金属製のストッパ３７，３７とが介装されている。
【００１７】
図３〜図５に示したように、内殻ハウジング１３の底部にはブレードアセンブリ４０が着脱可能に取り付けられている。ブレードアセンブリ４０は、互いに上下に重なり合う一対のシャーブレード４１，４２と、これら一対のシャーブレード４１，４２を前後方向に摺動可能に上下両側から挟んで保持するガイドプレート４３，４４と、シャーブレード４１，４２の基端部の間を所定間隔にて保持するスペーサ４５とからなる。
【００１８】
一対のシャーブレード４１，４２はハウジング１１の前方に長く延び、シャーブレード４１，４２には長手方向の両側部に複数の刃部が櫛状に形成されている。シャーブレード４１，４２の基端部には、半径が同じ２つの半円形が直線により繋がった（陸上競技のトラック形をした）横方向に長い嵌合孔４１ａ，４２ａが形成されている。これら嵌合孔４１ａ，４２ａは互いに同じ大きさとなっており、各嵌合孔４１ａ，４２ａは各偏心カム３３，３４が前後方向に隙間なく嵌合する大きさとなっている。各嵌合孔４１ａ，４２ａには、クランクカム３２の各偏心カム３３，３４が長手方向に沿ってスライド移動可能に嵌合している。
【００１９】
図５に示したように、下側のガイドプレート４４は上側のガイドプレート４３とともに一対のシャーブレード４１，４２を前後方向に摺動可能に上下両側から挟んで保持している。下側のガイドプレート４４は基端部がクランク機構３０を収容した内殻ハウジング１３の底面を覆うようにして内殻ハウジング１３の底部の各角部にねじ４６により着脱可能に固定されている。
【００２０】
上記のように構成したヘッジトリマ１０の作動について説明する。ヘッジトリマ１０において、電動モータ２１を作動させると、クランク機構３０を介して一対のシャーブレード４１，４２が前後方向に互いに逆方向に往復動する。詳述すると、電動モータ２１の回転駆動により、駆動軸２１ａの先端のピニオンギヤ２１ｂに係合した減速ギヤ３１が回転し、減速ギヤ３１に連結したクランクカム３２の各偏心カム３３，３４は互いに１８０°の位相差をもって回転軸３１ａに対して偏心的に回転する。偏心的に回転するクランクカム３２の各偏心カム３３，３４はシャーブレード４１，４２の基端部の嵌合孔４１ａ，４２ａ内を長手方向に沿ってスライド移動しながら一対のシャーブレード４１，４２を前後方向に互いに逆向きに往復動させる。グリップ１２ａとハンドル１４とを把持して、互いに逆向きに往復動するシャーブレード４１，４２を生け垣等の刈り取り面に当てることで、生け垣等の枝葉はシャーブレード４１，４２の刃部により刈り取られる。
【００２１】
次に、上記のように構成したヘッジトリマ１０のブレードアセンブリ４０の着脱操作について説明する。先ず、内殻ハウジング１３の底部からブレードアセンブリ４０を取り外すときには、一方の手でブレードアセンブリ４０を軽く支えた状態で、ヘッジトリマ１０を上下を逆方向にして水平な作業台の支持面Ｇに立てて置く。ヘッジトリマ１０は、外殻ハウジング１２のハウジング接地部１２ｂと、ハンドル１４のハンドル接地部１４ａが支持面Ｇに接地する。
【００２２】
ヘッジトリマ１０は、前後方向と直交する方向に延びる突部よりなるハウジング接地部１２ｂと、このハウジング接地部１２ｂと前後方向に離間して接地した前後方向と直交する方向に延びる接地面１４ｂを設けたハンドル接地部１４ａとが支持面Ｇに接地することになり、前後方向だけでなく横方向にも安定的に置くことができる。また、図８（ａ）の概略図に示したように、このヘッジトリマ１０においては、重量物である電動モータ２１が、上方から見たときにハウジング接地部１２ｂとハンドル接地部１４ａとにより囲まれる領域に配置されるので、ヘッジトリマ１０を上下を逆方向にして水平な支持面Ｇに安定的に置くことができる。
【００２３】
このとき、作業者は、一方の手でブレードアセンブリ４０を軽く支えるだけで、ヘッジトリマ１０を上下を逆方向にして前後及び横方向に安定的に置くことができ、他方の手で把持したドライバー等の工具によりブレードアセンブリ４０の固定に用いたねじ４６を弛め、ブレードアセンブリ４０を内殻ハウジング１３から容易に取り外すことができる。特に、図６に示したように、ブレードアセンブリ４０をハウジング１１に固定したねじ４６はハウジング接地部１２ｂの前側とハンドル接地部１４ａの後側との領域に配置されているので、上側から大きな力を加えて各ねじ４６を弛めてもヘッジトリマ１０が安定して転倒しにくい。これにより、他の作業者が上下を逆方向にしたヘッジトリマ１０を支えることなく、また、ヘッジトリマ１０を上下を逆方向においたときに横方向に傾かないようにする特別な支持具を用いることなく、ブレードアセンブリ４０を内殻ハウジング１３から容易に取り外すことができる。
【００２４】
引き続き、内殻ハウジング１３に底部に新しいブレードアセンブリ４０を取り付けるときには、新しいブレードアセンブリ４０の一対のシャーブレード４１，４２の各嵌合孔４１ａ，４２ａに内殻ハウジング１３の底部に設けたクランクカム３２の偏心カム３３，３４を嵌合させ、新しいブレードアセンブリ４０の下側のガイドプレート４４をねじ４６により内殻ハウジング１３の底部に取り付ける。
【００２５】
このとき、作業者は、一方の手でブレードアセンブリ４０を軽く支えるだけで、ヘッジトリマ１０を上下を逆方向にして前後及び横方向に安定的に置くことができ、他方の手で把持したドライバー等の工具によりブレードアセンブリ４０の固定に用いるねじ４６を締め付け、ブレードアセンブリ４０を内殻ハウジング１３に容易に取り付けることができる。特に、図６に示したように、ブレードアセンブリ４０をハウジング１１に固定した各ねじ４６はハウジング接地部１２ｂの前側とハンドル接地部１４ａの後側との領域に配置されているので、上側から大きな力を加えてねじ４６を締め付けてもヘッジトリマ１０が安定して転倒しにくい。これにより、他の作業者が上下を逆方向にしたヘッジトリマ１０を支えることなく、また、ヘッジトリマ１０を上下を逆方向に置いたときに横方向に傾かないようにする特別な支持具を用いることなく、ブレードアセンブリ４０を内殻ハウジング１３に容易に取り付けることができる。
【００２６】
このヘッジトリマ１０においては、ハンドル１４の外周にはハンドル接地部１４ａを含めて摩擦係数の大きく滑りにくい材質としてゴム材を装着した。ドライバー等の工具によりねじ４６を下方に押しながら弛め、または締め付けたときに、ハンドル接地部１４ａは摩擦係数の大きく滑りにくいゴム材によって支持面Ｇを動きにくく、ブレードアセンブリ４０の着脱作業が容易となった。なお、ハンドル接地部１４ａとともにハウジング接地部１２ｂを摩擦係数の大きく滑りにくい材質としてゴム材を用いてもよく、ハンドル接地部１４ａに代えてハウジング接地部１２ｂを摩擦係数の大きく滑りにくい材質としてゴム材を用いてもよい。
【００２７】
本実施形態においては、ヘッジトリマ１０を上下を逆方向にして置いたときに、ハウジング接地部１２ｂと、このハウジング接地部１２ｂと前後方向に離間して接地したハンドル接地部１４ａとが支持面Ｇに接地している。ハンドル接地部１４ａは前後方向と直交する方向に延びて連続する接地点を有した接地面１４ｂを設けたものであるが、ハンドル１４を上下を逆とした略Ｍ字形とし、図８（ｂ）の概略図に示したように、ハンドル接地部１４ａは前後方向と直交（交差）する方向に互いに離間した２つの接地点１４ｃ、１４ｃを設けたものであってもよい。なお、ハンドル１４の上部を波形等にすることにより前後方向と直交（交差）する方向に互いに離間した多数の接地点を設けたものであってもよい。
【００２８】
また、本実施形態においては、ハウジング接地部１２ｂは外殻ハウジング１２の頂部にて前後方向と直行する方向に延びる突部である。本発明はこれに限られるものでなく、ハウジング接地部１２ｂを前後方向と直交（交差）する方向に延びて支持面Ｇに接地する例えば楕円形の平面部としてもよい。同様に、図８（ｃ）の概略図に示したように、ハウジング接地部１２ｂを前後方向と直交（交差）する方向に互いに離間した２つの接地点１２ｃを設けたものであってもよい。
【００２９】
また、外殻ハウジング１２の頂部にて前後方向と直行する方向に延びる突部よりなるハウジング接地部１２ｂに代えて、図８（ｄ）の概略図に示したように、突部を形成することなく前後方向及び横方向に下がる曲面よりなる外殻ハウジング１２の頂部１２ｄをハウジング接地部としたときであっても、若干の安定性を欠くことになるが前後方向に離間して設けたハンドル接地部１４ａとともに、ヘッジトリマ１０を上下を逆方向に安定的に置くことができる。
【００３０】
本発明は、図８（ａ）〜（ｄ）に示したものだけでなく、図８（ａ）〜（ｄ）に示したハウジング接地部１２ｂとハンドル接地部１４ａとを適宜組み合わせたものにも適用される。
【００３１】
上述した実施形態は生け垣の枝葉を切断するヘッジトリマについて説明したが、本発明の園芸用バリカンは、クランク機構を介して一対のシャーブレードが左右方向に往復動する芝刈バリカンにも適用される。
【００３２】
また、上述の実施形態では、クランク機構の２つの偏心カムを上下一対のシャーブレードの各嵌合孔に嵌合させることによりシャーブレードの両方を相対的に前後方向に往復動させるものである。しかし、本発明はこれに限られるものでなく、一方のシャーブレードが固定されており、他方のシャーブレードの嵌合孔にクランク機構の１つの偏心カムが嵌合することによって片方のシャーブレードだけが前後方向に相対的に往復動する片刃駆動のヘッジトリマにも適用される。
【符号の説明】
【００３３】
１０…ヘッジトリマ、１１…ハウジング、１２ｂ…ハウジング接地部、１４…ハンドル、１４ａ…ハンドル接地部、１４ｂ…接地面、４０…ブレードアセンブリ。
【図１】
2014045745.tif 000003
【図２】
2014045745.tif 000004
【図３】
2014045745.tif 000005
【図４】
2014045745.tif 000006
【図５】
2014045745.tif 000007
【図６】
2014045745.tif 000008
【図７】
2014045745.tif 000009
【図８】
2014045745.tif 000010